(57)【要約】  【課題】  大容量にすることが可能であって、取り付けられる照明器具を汚すことのない照明器具付サーキュレータを提案する。  【解決手段】  筐体２の一方の側面に空気吸入口を形成し、他方の側面に空気吐出口を形成し、その内側に、前記空気吸入口から空気を吸い込み前記空気吹出口から空気を吹き出すクロスフローファン５を設置し、さらに筐体２内に、前記クロスフローファン５を駆動するモータ６を設置する。また、前記空気吸入口に着脱自在にフィルター３を取り付け、前記空気吹出口部分に方向調整自在にルーバー４を取り付ける。さらに、前記筐体２の下面に照明器具として、蛍光管８〜１０を設置して、照明カバー７により覆う。【選択図】  図１
2005351533.tif 000002
【特許請求の範囲】
【請求項１】
上部に天井面への取り付け部を有するとともに高さ方向に薄い形状をして、一方の側面に空気吸入口を形成し他方の側面に空気吹出口を形成した筐体と、
該筐体内に設置されて前記空気吸入口から空気を吸い込み前記空気吹出口から空気を吹き出すクロスフローファンと、
前記筐体内に設置されて前記クロスフローファンを駆動するモータと、
前記空気吸入口に着脱自在に取り付けられたフィルターと、
前記空気吹出口部分に方向調整自在に取り付けられたルーバーと、
前記筐体の下面に設置された照明器具と、
を備えたことを特徴とする照明器具付サーキュレータ。
【請求項２】
請求項１に記載の照明器具付サーキュレータにおいて、
前記ルーバーに電動駆動機構を備えルーバーの方向を周期的に変えることを特徴とした照明器具付サーキュレータ。
【請求項３】
請求項１または２に記載の照明器具付サーキュレータにおいて、
前記筐体に電動駆動機構を備え筐体を水平面上に往復旋回または一方向に回転駆動することを特徴とした照明器具付サーキュレータ。
【請求項４】
請求項１乃至３のいずれかに記載の照明器具付サーキュレータにおいて、
リモコン信号受信部と、該リモコン信号受信部に受信されたリモコン信号に基づいて電源のオンオフ制御をする制御回路とを備えたことを特徴とする照明器具付サーキュレータ。
【発明の詳細な説明】
【技術分野】
【０００１】
本発明は、照明器具を備えて室内を照明するとともに室内の空気を強制循環させる照明器具付サーキュレータに関する。
【背景技術】
【０００２】
室内に空調機を設置した場合、空調機に送風機能を有していても、暖房時には暖かい空気が上部に滞留しやすく、冷房時には冷えた空気が下部に滞留しやすく、室内の上下で温度差を生じて効率的な空調がなされないという問題があった。そのため、室内の上部の空気と下部の空気を撹拌させるために、壁掛けのサーキュレータや、天井に設置されるシーリングファン（天井扇）があった。しかしながら、壁掛けのサーキュレータは、設置されている壁の周囲を局所的に循環させるだけで、部屋全体の空気を撹拌するには不十分であった。また、天井に設置されるシーリングファンは、部屋全体を効率良く撹拌することができるものの、部屋の天井が高い構造でないと取り付けられない制約があり、特に、シーリングファンの下部にシャンデリヤのような照明器具を取り付ける場合はさらに天井の高さが必要となり、一般の天井の低い室内では取付不可能であった。そこで、天井の低い部屋でも照明器具も兼ねて空気を撹拌できる装置として、特許文献１に記載の「サーキュレータ機能付照明器具」が提案されている。この照明器具は、リング状の蛍光管の内側に同軸上にプロペラファンを配置して、下方の空気を吸い込み、蛍光管の上方から外方向へ吹き出すように構成されており、部屋の中央部分に照明器具を兼ねて設置しておくことで、室内の空気を撹拌することができる。
【特許文献１】特開２００２−１２４１２４号公報
【発明の開示】
【発明が解決しようとする課題】
【０００３】
しかしながら上述した「サーキュレータ機能付照明器具」は、リング状の蛍光管の内側にプロペラファンを配置する構造であるため、大容量のファンは取り付けられず、空気の撹拌量が十分ではなかった。さらに、この照明器具には、構造上、フィルターが取り付けられないため、埃が溜まりやすく、蛍光管が汚れやすいという欠点があった。そこで、本発明は、大容量にすることが可能であって、取り付けられる照明器具を汚すことのない照明器具付サーキュレータを提案することを目的とした。
【課題を解決するための手段】
【０００４】
上記課題を解決するために、本発明に係る照明器具付サーキュレータは、上部に天井面への取り付け部を有するとともに高さ方向に薄い形状をして、一方の側面に空気吸入口を形成し他方の側面に空気吹出口を形成した筐体と、該筐体内に設置されて前記空気吸入口から空気を吸い込み前記空気吹出口から空気を吹き出すクロスフローファンと、前記筐体内に設置されて前記クロスフローファンを駆動するモータと、前記空気吸入口に着脱自在に取り付けられたフィルターと、前記空気吹出口部分に方向調整自在に取り付けられたルーバーと、前記筐体の下面に設置された照明器具とを備えたことを特徴とする。
ここで、前記ルーバーに電動駆動機構を備えルーバーの方向を周期的に変えることも可能である。
さらには、前記筐体に電動駆動機構を備え筐体を水平面上に往復旋回または一方向に回転駆動することも可能である。
また、リモコン信号受信部と、該リモコン信号受信部に受信されたリモコン信号に基づいて電源のオンオフ制御をする制御回路とを備えて、リモコンにより運転操作することも可能である。
【発明の効果】
【０００５】
以上述べたように本発明によれば、下面に照明器具を有する薄型のサーキュレータを天井に設置することで、天井の低い室内での取付が可能となる。しかも、埋め込みタイプではないため、天井面に取り付けの工事が容易である。また、照明器具は空気の循環経路から外れているため埃等に汚れることがない。また、部屋の容積に応じた容量のものを設置することで、部屋全体の空気を満遍なく撹拌することが可能となり、空調機の省エネ運転が可能となる。
【発明を実施するための最良の形態】
【０００６】
以下、図に基づいて本発明の実施形態を説明する。
図１は本発明に係る照明器具付サーキュレータの縦断面図であり、図２は図１の下面図であり、図３は内部の構造を示す断面図であり、図４は取付例を示す説明図である。これらの図に示されるように、照明器具付サーキュレータ１１は、天井面に取り付けるための取付基板１の下面に高さ方向に薄い筐体２が配設され、その筐体２の対向する２つの側面が開口されて、その側面の一方は空気吸入口として、着脱自在にフィルター３が取り付けられている。他方の側面は空気吹出口として、角度の調整が可能なルーバー４が取り付けられている。筐体２の内部には、フィルター３とルーバー４との間の中央部分に、クロスフローファン５とそれを駆動するモータ６が配置されている。
【０００７】
筐体２の下面には、乳白色の半透明樹脂からなる照明カバー７により覆われて、その内部に蛍光管８〜１０が配置されている。このように構成された照明器具付サーキュレータ１１は、図１のように、部屋の天井面に取付基板１により取り付けられる。このとき、取付基板１は天井面に取り付けられのであって、埋め込み式でないため、任意の位置に取り付け可能であるが、室内を照明するのと室内空気の撹拌するのに最適な位置に配置されるものとする。通常は、図４のように室内の中央部分の天井に取り付けられるのが好ましい。
【０００８】
この照明器具付サーキュレータ１１は、蛍光管８〜１０を点灯させることで、照明器具として室内を照明する。また、室内に設置された空調機が運転されている場合は、モータ６をオンにしてクロスフローファン５を回転させることで、フィルター３側の空気吸入口から室内の空気を吸入してルーバー４側の空気吹出口から吹き出すことで、図４の矢印のように室内の空気が循環され、暖気が部屋の上部に滞留したり、冷気が部屋の下部に滞留したりすることが解消される。その結果、空調機の負荷が軽減されて省エネ運転が可能となる。
【０００９】
上述した照明器具付サーキュレータ１１は、送風機として、クロスフローファン５を用いたため、筐体２を薄くすることが可能となり、その下面に蛍光管８〜１０を取り付けても、天井の高さを低くすることがわずかであり、在室者に圧迫感を感じさせることも少ない。なお、図示例では、直線状のライン管からなる蛍光管８〜１０を用いているが、リング状のサークル管を用いることも可能である。その場合は、照明カバー７を円形にすることが好ましい。さらには、筐体２の形状も、図示例では平面形状が正方形であるが、六角形や八角形、円形等にすることも可能である。
【００１０】
また、図示例では、取付基板１と筐体２は一体的に固定されているが、取付基板１と筐体２との間に、垂直方向の回転軸を設けて、筐体２を電動駆動機構により、一方向に回転駆動したり、あるいは反転旋回させたりすることも可能である。同様に、ルーバー４にも電動駆動機構を設けて、ルーバー４の吹き出し方向を周期的に上下動させたり、左右方向に振ることも可能である。さらには、モータ６等や蛍光管８〜１０の電源をリモコン装置により、オン・オフ制御させることも可能である。
【産業上の利用可能性】
【００１１】
本発明は、人間が居住する室内の天井に設置される以外には、厩舎等の家畜を飼育する建物の天井に設置して、照明と空気循環用に使用することも可能である。
【図面の簡単な説明】
【００１２】
【図１】本発明に係る照明器具付サーキュレータの縦断面図である。
【図２】図１の下面図である。
【図３】内部の構造を示す断面図である。
【図４】取付例を示す説明図である。
【符号の説明】
【００１３】
１  取付基板
２  筐体
３  フィルター
４  ルーバー
５  クロスフローファン
６  モータ
７  照明カバー
８〜１０  蛍光管
１１  照明器具付サーキュレータ
【図１】
2005351533.tif 000003
【図２】
2005351533.tif 000004
【図３】
2005351533.tif 000005
【図４】
2005351533.tif 000006